Podtech/llm-jp-corpus-v4-ja_patent huggingface dataset:
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
診療装置本体と、
前記診療装置本体に接続された可撓性の媒体導管と、
前記媒体導管に接続され、かつ前記診療装置本体に前記媒体導管を経由して接続された診療用ハンドピースとを備え、
前記媒体導管は、
外装と、
前記外装の内部に配置され、かつ前記診療装置本体から前記診療用ハンドピースに水を供給する供給管路と、
前記外装の内部に配置され、前記供給管路に接続され、かつ前記媒体導管から前記診療装置本体に前記水を排出する排出管路とを含み、
前記供給管路から前記診療用ハンドピース、および、前記排出管路を経由して前記診療装置本体のいずれかに前記水を流すように構成された弁をさらに備え、
前記診療装置本体は、
前記供給管路に前記水を供給する媒体供給部を含み、
前記弁は、
前記媒体供給部と前記供給管路との間に配置された供給用開閉弁と、
前記排出管路が接続された前記供給管路の接続部分と前記診療用ハンドピースとの間に配置された供給管路開閉弁とを含み、
前記供給用開閉弁を開とし、前記供給管路開閉弁を閉とすることで、前記供給管路から前記排出管路を経由して前記診療装置本体に前記水が流れるように構成されており、
前記媒体供給部は、水元に接続されており、
前記供給管路は、前記水元から供給される水道水を供給する、医療用装置。
【請求項２】
前記診療用ハンドピースは複数のハンドピースを含み、
前記供給用開閉弁および前記各ハンドピース毎に設けられた前記供給管路開閉弁の開閉を制御して、前記各ハンドピースの少なくともいずれかの前記供給管路から前記排出管路を経由して前記診療装置本体に前記水が流れるように構成されている、請求項１に記載の医療用装置。
【請求項３】
前記供給管路開閉弁は、エアーにより作動するように構成されている、請求項１または２に記載の医療用装置。
【請求項４】
前記供給用開閉弁および前記供給管路開閉弁は、前記診療装置本体のメインスイッチの作動に連動して作動するように構成されている、請求項１〜３のいずれか１項に記載の医療用装置。
【請求項５】
前記供給用開閉弁および前記供給管路開閉弁は、前記診療装置本体に備えられたタイマーで自動的に駆動するように構成されている、請求項１〜３のいずれか１項に記載の医療用装置。
【請求項６】
前記診療装置本体および前記供給管路の少なくともいずれかに滞留する前記水の水質監視用検出器をさらに備え、
前記水質監視用検出器の出力に応じて自動的に前記供給用開閉弁および前記供給管路開閉弁は作動するように構成されている、請求項１〜３のいずれか１項に記載の医療用装置。
【請求項７】
前記供給管路は、前記診療装置本体から前記診療用ハンドピースに前記水を供給する給水管路である、請求項１〜６のいずれか１項に記載の医療用装置。
【請求項８】
前記排出管路は、前記媒体導管から前記診療装置本体に前記水を排出する排水管路である、請求項１〜７のいずれか１項に記載の医療用装置。
【請求項９】
前記診療装置本体は、
前記排出管路から排出された前記水を貯留する洗浄タンクと、
前記洗浄タンクに接続されたバキュームタンクとを含み、
前記洗浄タンクに貯留された前記水が、前記バキュームタンクに流れるように構成されている、請求項１〜８のいずれか１項に記載の医療用装置。
【請求項１０】
前記供給管路開閉弁が前記媒体導管の先端部に備えられた前記診療用ハンドピースとの係合部に設けられている、請求項１〜９のいずれか１項に記載の医療用装置。
【請求項１１】
診療装置本体に着脱自在に接続可能な媒体導管セットであって、
前記診療装置本体に着脱自在に接続可能な可撓性の媒体導管と、
前記媒体導管に接続された診療用ハンドピースとを備え、
前記媒体導管は、
外装と、
前記外装の内部に配置され、かつ前記診療装置本体から前記診療用ハンドピースに水を供給するための供給管路と、
前記外装の内部に配置され、前記供給管路に接続され、かつ前記媒体導管から前記診療装置本体に前記水を排出するための排出管路とを含み、
前記供給管路から前記診療用ハンドピース、および、前記排出管路のいずれかに前記水を流すように構成された弁をさらに備え、
前記診療装置本体は、
前記供給管路に前記水を供給する媒体供給部を含み、
前記弁は、
前記媒体供給部と前記供給管路との間に配置された供給用開閉弁と、
前記排出管路が接続された前記供給管路の接続部分と前記診療用ハンドピースとの間に配置された供給管路開閉弁とを含み、
前記供給用開閉弁を開とし、前記供給管路開閉弁を閉とすることで、前記供給管路から前記排出管路を経由して前記診療装置本体に前記水が流れるように構成されており、
前記媒体供給部は、水元に接続されており、
前記供給管路は、前記水元から供給される水道水を供給する、媒体導管セット。
【手続補正２】
【補正対象書類名】明細書
【補正対象項目名】０００７
【補正方法】変更
【補正の内容】
【０００７】
本発明の医療用装置は、診療装置本体と、診療装置本体に接続された可撓性の媒体導管と、媒体導管に接続され、かつ診療装置本体に媒体導管を経由して接続された診療用ハンドピースとを備えている。媒体導管は、外装と、外装の内部に配置され、かつ診療装置本体から診療用ハンドピースに水を供給する供給管路と、外装の内部に配置され、供給管路に接続され、かつ媒体導管から診療装置本体に水を排出する排出管路とを含んでいる。本発明の医療用装置は、供給管路から診療用ハンドピース、および、排出管路を経由して診療装置本体のいずれかに水を流すように構成された弁をさらに備えている。診療装置本体は、供給管路に前記水を供給する媒体供給部を含んでいる。弁は、媒体供給部と供給管路との間に配置された供給用開閉弁と、排出管路が接続された供給管路の接続部分と診療用ハンドピースとの間に配置された供給管路開閉弁とを含んでいる。医療用装置は、供給用開閉弁を開とし、供給管路開閉弁を閉とすることで、供給管路から排出管路を経由して診療装置本体に水が流れるように構成されている。媒体供給部は、水元に接続されている。供給管路は、水元から供給される水道水を供給する。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
設置部にセットされた眼内レンズを患者眼の眼内に挿入するための眼内レンズ挿入器具であって、
移動軸に沿って移動可能であり、前記設置部にセットされた前記眼内レンズを前記移動軸の先端方向へと押し出すための押出部材と、
前記設置部よりも基端側に設けられ、モーターが発生する動力を前記押出部材の移動運動へと変換する送り機構と、
を含む第１モジュールと、
前記モーターの駆動を制御する制御部と、
前記モーターへと電力を供給する電源部と、
を含む第２モジュールと、
前記第１モジュールと前記第２モジュールとを一体的且つ着脱可能に合体するための合体機構と、
を備えたことを特徴とする眼内レンズ挿入器具。
【請求項２】
請求項１に記載の眼内レンズ挿入器具は、
前記第１モジュールは、前記送り機構を駆動するための前記モーターを含み、
前記第２モジュールは、前記モーターを駆動するための駆動回路部を含む、
ことを特徴とする眼内レンズ挿入器具。
【請求項３】
請求項１または２に記載の眼内レンズ挿入器具は、
前記第１モジュールまたは前記第２モジュールに着脱可能であり、前記第２モジュールの露出を抑制するためのカバーを備える、
ことを特徴とする眼内レンズ挿入器具。
【請求項４】
請求項１〜３のいずれか１項に記載の眼内レンズ挿入器具であって、
前記第２モジュールは、前記送り機構よりも前記移動軸の基端側にて前記第１モジュールに合体される、
ことを特徴とする眼内レンズ挿入器具。
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
特定当選役を含む複数種類の当選役の当否を抽選により決定する当選種別抽選手段と、
スタートスイッチの操作に応じて、複数種類の図柄がそれぞれ配列された複数のリールを回転制御し、回転しているリールに対応するストップスイッチの操作に応じて、操作された前記ストップスイッチに対応するリールをそれぞれ停止制御するリール制御手段と、
前記スタートスイッチの操作により回転した複数のリールが、前記ストップスイッチの操作により全て停止したときに、前記抽選により決定された当選役に対応付けられた図柄組合せが有効ライン上に表示された場合に入賞と判定する判定手段と、
通常状態および特定状態を含む複数種類の状態のいずれかに移行させる状態移行手段と、
を備え、
前記特定状態において、前記抽選により特定当選役が決定された場合に所定の特典を付与することが可能であり、
前記所定の特典は、
前記特定状態の経過遊技数に応じて異なる確率で成立することを特徴とする遊技機。
【手続補正２】
【補正対象書類名】明細書
【補正対象項目名】０００７
【補正方法】変更
【補正の内容】
【０００７】
上記課題を解決するために、本発明の遊技機は、特定当選役を含む複数種類の当選役の当否を抽選により決定する当選種別抽選手段と、スタートスイッチの操作に応じて、複数種類の図柄がそれぞれ配列された複数のリールを回転制御し、回転しているリールに対応するストップスイッチの操作に応じて、操作された前記ストップスイッチに対応するリールをそれぞれ停止制御するリール制御手段と、前記スタートスイッチの操作により回転した複数のリールが、前記ストップスイッチの操作により全て停止したときに、前記抽選により決定された当選役に対応付けられた図柄組合せが有効ライン上に表示された場合に入賞と判定する判定手段と、通常状態および特定状態を含む複数種類の状態のいずれかに移行させる状態移行手段と、を備え、前記特定状態において、前記抽選により特定当選役が決定された場合に所定の特典を付与することが可能であり、前記所定の特典は、前記特定状態の経過遊技数に応じて異なる確率で成立する。
【手続補正３】
【補正対象書類名】明細書
【補正対象項目名】０００８
【補正方法】削除
【補正の内容】
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
上下方向を有し、基材シートと、柄と、前記基材シートに挿入される挿入部とを有するハンドル部材とを含む清掃用具の収容容器において、
前記収容容器は、上面と、前記基材シートとともに前記挿入部が収容される収容本体と、前記上面に位置する挿通孔を有し、
前記挿通孔は、前記柄が挿通される中央孔と、前記中央孔から放射状に延びる複数のスリットとを有し、前記スリット間には弾性片が位置しており、
前記挿通孔の面積は、前記基材シートの見掛け上の断面面積よりも小さいことを特徴とする前記収容容器。
【請求項２】
前記挿通孔は、前記上面に位置する第１挿通孔と、前記第１挿通孔の下方に位置する第２挿通孔とを有する請求項１に記載の収容容器。
【請求項３】
前記スリットと前記弾性片とは、鋸歯状である請求項１又は２に記載の収容容器。
【請求項４】
前記上面を有する上蓋体と、下蓋体とをさらに有し、前記上蓋体と前記下蓋体とは、前記収容本体に着脱可能に取り付けられる請求項２に記載の収容容器。
【請求項５】
前記上蓋体は、前記上面を形成する蓋部と、前記蓋部から下方へ延出する外周壁部と、前記外周壁部内に位置する内周壁部とを有し、前記内周壁部に囲まれた底面には前記第２挿通孔が位置し、前記第１挿通孔と前記第２挿通孔とが前記上下方向において連通する請求項４に記載の収容容器。
【請求項６】
前記下蓋体は、前記収容本体内の粉塵を収容するための収容部を有する請求項４又は５に記載の収容容器。
【請求項７】
前記上蓋体は、前記上面からさらに上方へ延び、すり鉢状の空間を形成する上方周壁部をさらに有し、前記上方周壁部は前記収容本体の上端に係止される係止部を有する請求項４〜６のいずれかに記載の収容容器。
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
所定の外部操作に基づいて第１ボーナス役および前記第１ボーナス役と異なる第２ボーナス役の当否を内部抽選で決定する内部抽選手段と、
前記第１ボーナス役および前記第２ボーナス役を前記内部抽選の対象としている通常状態を含む複数種類の遊技状態の間で前記遊技状態の移行を制御する遊技状態移行手段と、
前記遊技状態の移行に応じて演出状態を制御する演出状態制御手段と、を備え、
前記遊技状態移行手段は、前記通常状態において前記第１ボーナス役に当選したことに基づいて第１ボーナス成立状態へ移行させ、前記第１ボーナス役が入賞したことに基づいて第１ボーナス状態へ移行させ、前記通常状態において前記第２ボーナス役に当選したことに基づいて第２ボーナス成立状態へ移行させ、前記第２ボーナス役が入賞したことに基づいて第２ボーナス状態へ移行させ、
前記演出状態制御手段は、前記第１ボーナス状態への移行の前後で前記演出状態を異なる前記演出状態に変更する一方、前記第２ボーナス状態への移行の前後で前記演出状態を変更することなく維持することを特徴とする遊技機。
【請求項２】
請求項１の記載において、
前記遊技状態移行手段は、前記第２ボーナス状態で所定条件を満たしたことに基づいて前記第２ボーナス状態を終了させて前記遊技状態を前記通常状態へ移行させ、
前記演出状態制御手段は、前記通常状態から前記第２ボーナス状態を経由して再び前記通常状態に移行するまでの間、前記演出状態を変更することなく同一の前記演出状態で維持することを特徴とする遊技機。
【請求項３】
第１状態および前記第１状態と異なる第２状態を含む複数種類の遊技状態の間で前記遊技状態の移行を制御する遊技状態移行手段と、前記遊技状態の移行に応じて演出状態を制御する演出状態制御手段と、を備え、
前記遊技状態移行手段は、所定条件の成立に基づいて前記遊技状態を前記第１状態から前記第２状態に移行させ、
前記演出状態制御手段は、前記第１状態から前記第２状態への移行により、特定条件が成立するまで前記演出状態を変更することなく維持することを特徴とする遊技機。
【手続補正書】
【提出日】令和1年6月26日(2019.6.26)
【手続補正１】
【補正対象書類名】明細書
【補正対象項目名】発明の名称
【補正方法】変更
【補正の内容】
【発明の名称】描画装置
【手続補正２】
【補正対象書類名】明細書
【補正対象項目名】０００１
【補正方法】変更
【補正の内容】
【０００１】
本発明は、爪にネイルデザインを施す描画装置に関する。
【手続補正３】
【補正対象書類名】明細書
【補正対象項目名】０００８
【補正方法】変更
【補正の内容】
【０００８】
本発明は、上記のような事情に鑑みなされたものであり、爪の曲面状態を容易に測定できる描画装置を提供することを目的とする。
【手続補正４】
【補正対象書類名】明細書
【補正対象項目名】０００９
【補正方法】変更
【補正の内容】
【０００９】
本発明の描画装置は、爪を有する指が載置される指載置部と、前記指載置部が着脱自在に挿入される指挿入部と、前記指載置部に載置された前記指の側面側の像を反射するミラー部と、前記ミラー部で反射された前記指の側面側の像を撮像した側面画像を取得する画像取得部と、を有する。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明によれば、爪の曲面状態を容易に測定できる描画装置を提供することができる。
【手続補正８】
【補正対象書類名】特許請求の範囲
【補正対象項目名】全文
【補正方法】変更
【補正の内容】
【特許請求の範囲】
【請求項１】
爪を有する指が載置される指載置部と、
前記指載置部が着脱自在に挿入される指挿入部と、
前記指載置部に載置された前記指の側面側の像を反射するミラー部と、
前記ミラー部で反射された前記指の側面側の像を撮像した側面画像を取得する画像取得部と、
を有することを特徴とする描画装置。
【請求項２】
前記画像取得部は、前記指載置部に載置された前記指の上面側の像を撮像した上面画像を取得することを特徴とする請求項１に記載の描画装置。
【請求項３】
前記画像取得部は、前記側面画像と前記上面画像とを同時に撮像することを特徴とする請求項２に記載の描画装置。
【請求項４】
前記画像取得部により取得された前記側面画像と前記上面画像とを表示する表示部を有することを特徴とする請求項３に記載の描画装置。
【請求項５】
前記ミラー部は、前記画像取得部が前記指載置部に載置された前記指の側面側の像を撮像できるように、傾斜した位置に設けられていることを特徴とする請求項１から請求項４のいずれか一項に記載の描画装置。
【請求項６】
前記指載置部に載置された前記指を上方に押圧する押圧部を有することを特徴とする請求項１から請求項５のいずれか一項に記載の描画装置。
【請求項７】
前記押圧部は、前記指載置部と前記指挿入部の蓋体との間に前記指を固定し、
前記画像取得部は、前記指載置部と前記指挿入部の蓋体との間に固定された前記指の前記側面画像を取得することを特徴とする請求項６に記載の描画装置。
【請求項８】
前記押圧部により前記指載置部と前記指挿入部の蓋体との間に前記指が固定された状態で、前記爪に描画を施す描画部を有することを特徴とする請求項７に記載の描画装置。
【請求項９】
前記指載置部と前記押圧部とは、前記指により下方に押圧された際、前記指を上方に押圧することにより前記指を上方に移動させて、前記指載置部と前記指挿入部の蓋体との間に前記指を固定することを特徴とする請求項７又は請求項８に記載の描画装置。
【請求項１０】
前記指載置部と前記押圧部とは、前記指が固定された後に、前記指によって下方に押圧されることを特徴とする請求項６に記載の描画装置。
【請求項１１】
凹溝と前記凹溝にスライド可能に係合する凸条部からなり、前記指挿入部に前記指載置部を挿入するときに、前記指載置部の挿入をガイドするガイド部を備え、
前記指挿入部及び前記指載置部の一方に前記凹溝が設けられ、前記指挿入部及び前記指載置部の他方に前記凸条部が設けられていることを特徴とする請求項１から請求項１０のいずれか一項に記載の描画装置。
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
外周面に複数種類の図柄が配置された複数のリールと、
第１操作に基づいて通常役および前記通常役と異なる特定役を含む役の当否を内部抽選で決定する内部抽選手段と、
前記第１操作に基づいて前記複数のリールを回転させ、前記第１操作と異なる第２操作に応じて前記内部抽選で決定された役に対応する図柄組合せを有効ラインに表示可能とするように前記リールを停止させるリール制御手段と、
前記内部抽選で前記特定役に当選してから前記特定役に対応する特定図柄組合せが前記有効ラインに表示されるまで前記特定役の当選の権利を持ち越す持越し手段と、
前記特定役の当選の権利が持ち越されている第１状態で前記特定図柄組合せが前記有効ラインに表示されると前記第１状態と異なる第２状態に遊技状態を移行させる遊技状態移行手段と、
遊技の進行を中断するフリーズを実行することを決定するフリーズ実行決定手段と、
前記フリーズを実行するフリーズ実行手段と、を備えており、
前記第１状態における前記内部抽選で前記通常役に当選した場合、前記リール制御手段は、前記特定図柄組合せよりも前記通常役に対応する図柄組合せを優先して前記有効ラインに表示可能とすると共に、前記フリーズ実行手段は前記フリーズを実行しないように制御し、
前記第１状態における前記内部抽選で前記通常役に当選しなかった場合、前記リール制御手段は前記特定図柄組合せを前記有効ラインに表示可能とすると共に、前記フリーズ実行手段は前記フリーズを実行するように制御することを特徴とする遊技機。
【請求項２】
外周面に複数種類の図柄が配置された複数のリールと、第１操作に基づいて特定役を含む役の当否を内部抽選で決定する内部抽選手段と、前記第１操作に基づいて前記複数のリールを回転させ、前記第１操作と異なる第２操作に応じて前記内部抽選で決定された役に対応する図柄組合せを有効ラインに表示可能とするように前記リールを停止させるリール制御手段と、を備え、
前記第１操作に基づいて遊技を開始させ、前記第２操作に基づいて遊技を終了させる遊技機であって、
遊技の進行を中断するフリーズを実行するフリーズ実行手段を備え、
前記フリーズ実行手段は、前記特定役に対応する図柄組合せを有効ラインに表示可能な遊技に限り、前記フリーズを実行可能に制御することを特徴とする遊技機。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
眼科検査装置によって取得された被検眼の画像データを処理する眼科画像処理装置であって、
前記眼科検査装置によって取得された前記被検眼の前記画像データを処理して前記画像データを含むレポートを作成する画像処理手段を備え、
前記画像処理手段は、前記画像データの一部を拡大して前記レポートに表示させることを特徴とする眼科画像処理装置。
【請求項２】
検者の操作に応じて操作手段から出力された指示信号を受け付ける指示受付手段をさらに備え、
前記画像処理手段は、前記指示受付手段によって受け付けた前記指示信号に基づいて、前記画像データの一部を拡大して前記レポートに表示させることを特徴とする請求項１の眼科画像処理装置。
【請求項３】
前記画像処理手段は、前記レポートに表示させた前記画像データの倍率を変更できることを特徴とする請求項１または２の眼科画像処理装置。
【請求項４】
前記画像処理手段は、前記レポートに表示させた前記画像データの拡大領域を変更できることを特徴とする請求項１〜３のいずれかの眼科画像処理装置。
【請求項５】
前記画像処理手段は、前記レポート上の複数の画像データの倍率および／または拡大領域を個別に変更可能であることを特徴とする請求項１〜４のいずれかの眼科画像処理装置。
【請求項６】
被検眼の画像データを処理する眼科画像処理装置において用いられる眼科画像処理プログラムであって、前記眼科画像処理装置のプロセッサによって実行されることで、
眼科検査装置によって取得された前記被検眼の前記画像データを処理して前記画像データを含むレポートを作成する作成ステップと、
前記レポートに表示する前記画像データの一部を拡大する拡大ステップと、
を前記眼科画像処理装置に実行させることを特徴とする眼科画像処理プログラム。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
１の演出期間において、所定の演出態様が少なくとも１回表示される特定演出を実行する特定演出実行手段と、
遊技者が操作可能な操作手段と、
前記所定の演出態様に含まれる第１の演出態様の表示中に前記操作手段に対して予め定められた特定の操作内容の操作が行われたかを判別する条件判別手段と、
その条件判別手段の判別結果に応じて、前記第１の演出態様の表示時間を少なくとも決定する表示時間決定手段と、
前記所定の演出態様の表示中に前記第１の演出態様の表示時間が終了したことに基づいて、当該所定の演出態様の一部として第２の演出態様を表示させることが可能な第２演出態様表示手段と、を備え、
前記表示時間決定手段は、前記条件判別手段により前記特定の操作内容の操作が行われたと判別された場合よりも、行われていないと判別された場合の方が、長い表示時間とする手段を備えたものであり、
前記所定の演出態様は、当該所定の演出態様に含まれる前記第１の演出態様の表示中に前記特定の操作内容の操作が行われたか否かによらず、表示時間が共通となるように構成されているものであり、
前記特定演出は、前記特定演出の開始後における経過時間が予め定められた上限時間になったことに基づいて終了されるように構成されているものであることを特徴とする遊技機。
【請求項２】
前記所定の演出態様を表示させることが可能な表示手段を備えることを特徴とする請求項１記載の遊技機。
【手続補正２】
【補正対象書類名】明細書
【補正対象項目名】０００２
【補正方法】変更
【補正の内容】
【０００２】
パチンコ機等の遊技機において、液晶表示装置等の表示装置が設けられた遊技機が知られている。この従来型の遊技機では、表示装置において図柄の変動表示が行われ、予め定められた図柄が停止表示されることで、遊技者に有利な当たり遊技が付与される。また、表示装置には、図柄以外にもキャラクタや風景等の様々な画像が表示され、多種多様な興趣演出を実行することで遊技の興趣向上を図っていた。
【手続補正３】
【補正対象書類名】明細書
【補正対象項目名】０００６
【補正方法】変更
【補正の内容】
【０００６】
この目的を達成するために請求項１記載の遊技機は、１の演出期間において、所定の演出態様が少なくとも１回表示される特定演出を実行する特定演出実行手段と、遊技者が操作可能な操作手段と、前記所定の演出態様に含まれる第１の演出態様の表示中に前記操作手段に対して予め定められた特定の操作内容の操作が行われたかを判別する条件判別手段と、その条件判別手段の判別結果に応じて、前記第１の演出態様の表示時間を少なくとも決定する表示時間決定手段と、前記所定の演出態様の表示中に前記第１の演出態様の表示時間が終了したことに基づいて、当該所定の演出態様の一部として第２の演出態様を表示させることが可能な第２演出態様表示手段と、を備え、前記表示時間決定手段は、前記条件判別手段により前記特定の操作内容の操作が行われたと判別された場合よりも、行われていないと判別された場合の方が、長い表示時間とする手段を備えたものであり、前記所定の演出態様は、当該所定の演出態様に含まれる前記第１の演出態様の表示中に前記特定の操作内容の操作が行われたか否かによらず、表示時間が共通となるように構成されているものであり、前記特定演出は、前記特定演出の開始後における経過時間が予め定められた上限時間になったことに基づいて終了されるように構成されている。
【手続補正４】
【補正対象書類名】明細書
【補正対象項目名】０００７
【補正方法】変更
【補正の内容】
【０００７】
請求項２記載の遊技機は、請求項１記載の遊技機において、前記所定の演出態様を表示させることが可能な表示手段を備える。
【手続補正５】
【補正対象書類名】明細書
【補正対象項目名】００１１
【補正方法】変更
【補正の内容】
【００１１】
本発明の遊技機によれば、１の演出期間において、所定の演出態様が少なくとも１回表示される特定演出を実行する特定演出実行手段と、遊技者が操作可能な操作手段と、前記所定の演出態様に含まれる第１の演出態様の表示中に前記操作手段に対して予め定められた特定の操作内容の操作が行われたかを判別する条件判別手段と、その条件判別手段の判別結果に応じて、前記第１の演出態様の表示時間を少なくとも決定する表示時間決定手段と、前記所定の演出態様の表示中に前記第１の演出態様の表示時間が終了したことに基づいて、当該所定の演出態様の一部として第２の演出態様を表示させることが可能な第２演出態様表示手段と、を備え、前記表示時間決定手段は、前記条件判別手段により前記特定の操作内容の操作が行われたと判別された場合よりも、行われていないと判別された場合の方が、長い表示時間とする手段を備えたものであり、前記所定の演出態様は、当該所定の演出態様に含まれる前記第１の演出態様の表示中に前記特定の操作内容の操作が行われたか否かによらず、表示時間が共通となるように構成されているものであり、前記特定演出は、前記特定演出の開始後における経過時間が予め定められた上限時間になったことに基づいて終了されるように構成されている。
【手続補正６】
【補正対象書類名】明細書
【補正対象項目名】１１０９
【補正方法】変更
【補正の内容】
【１１０９】
１０                      パチンコ機（遊技機）
２２                      枠ボタン（操作手段）
８１ 第３図柄表示装置（表示手段）
Ｓ２１４                  特典遊技実行手段
Ｓ３０５                  判別手段
Ｓ４１０２ 条件判別手段
Ｓ４１０３                第２態様表示手段
Ｓ４２１１ 第２演出態様表示手段
Ｓ４４０２                特定演出実行手段
Ｓ４４０３                特定期間設定手段の一部
Ｓ４５０３                第１態様表示手段
Ｓ４６０５                特定期間設定手段の一部
Ｓ５００５                上限回数設定手段
Ｓ５１０６ 表示時間決定手段
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技盤における該遊技領域に設けられた所定の通過口を遊技球が通過することで乱数を取得する乱数取得手段と、前記通過口の通過に基づいて有利状態に移行するか否かを判定する有利状態移行判定手段と、を備える遊技機であって、
前記有利状態移行判定手段の判定結果に基づいて図柄の変動演出を表示する演出表示手段と、
前記乱数取得手段が取得した乱数を記憶する乱数記憶手段と、
前記演出表示手段によって前記図柄の変動演出が表示されている間に前記所定の通過口を遊技球が通過したことに基づいて、前記有利状態への移行に対する期待示唆を提供するか否かの判定をし得る事前提供手段と、
遊技者が操作可能とされた複数の操作手段と、
前記事前提供手段によって前記期待示唆を提供すると判定した場合に、期待度の異なる複数の期待度態様のうちいずれかの期待度態様を表示しうる期待示唆手段と、を備え、
前記複数の操作手段のうち第１の操作手段が操作されると前記複数の期待度態様のうちのいずれかの態様を第１の表示態様として示すようになされており、
前記第１の操作手段とは異なる第２の操作手段が操作されると第２の表示態様を示すようになされており、
前記第１の表示態様を示す起因となる前記第１の操作手段と前記第２の表示態様を示す起因となる前記第２の操作手段とが同時に受付可能とされており、
前記遊技球を貯留する皿部に、同時に受付可能とされている前記第１の表示態様を示す起因となる前記第１の操作手段と前記第２の表示態様を示す起因となる前記第２の操作手段とが設けられている
ことを特徴とする遊技機。
【手続補正２】
【補正対象書類名】明細書
【補正対象項目名】０００４
【補正方法】変更
【補正の内容】
【０００４】
このような遊技機において、様々な演出で興趣を維持しようとはしているものの、まだまだ工夫がなされた遊技機を望む声も少なからず存在する。
【手続補正３】
【補正対象書類名】明細書
【補正対象項目名】０００６
【補正方法】変更
【補正の内容】
【０００６】
上記課題を解決した本発明に係る遊技機は、遊技球が流下可能な遊技領域が形成された遊技盤における該遊技領域に設けられた所定の通過口を遊技球が通過することで乱数を取得する乱数取得手段と、前記通過口の通過に基づいて有利状態に移行するか否かを判定する有利状態移行判定手段と、を備える遊技機であって、前記有利状態移行判定手段の判定結果に基づいて図柄の変動演出を表示する演出表示手段と、前記乱数取得手段が取得した乱数を記憶する乱数記憶手段と、前記演出表示手段によって前記図柄の変動演出が表示されている間に前記所定の通過口を遊技球が通過したことに基づいて、前記有利状態への移行に対する期待示唆を提供するか否かの判定をし得る事前提供手段と、遊技者が操作可能とされた複数の操作手段と、前記事前提供手段によって前記期待示唆を提供すると判定した場合に、期待度の異なる複数の期待度態様のうちいずれかの期待度態様を表示しうる期待示唆手段と、を備え、前記複数の操作手段のうち第１の操作手段が操作されると前記複数の期待度態様のうちのいずれかの態様を第１の表示態様として示すようになされており、前記第１の操作手段とは異なる第２の操作手段が操作されると第２の表示態様を示すようになされており、前記第１の表示態様を示す起因となる前記第１の操作手段と前記第２の表示態様を示す起因となる前記第２の操作手段とが同時に受付可能とされており、前記遊技球を貯留する皿部に、同時に受付可能とされている前記第１の表示態様を示す起因となる前記第１の操作手段と前記第２の表示態様を示す起因となる前記第２の操作手段とが設けられていることを特徴とする。
【手続補正４】
【補正対象書類名】明細書
【補正対象項目名】０００７
【補正方法】変更
【補正の内容】
【０００７】
以上説明したように本発明によれば、工夫がなされた遊技機を提供することができ、興趣の低下を抑制することができる。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
クライオジェン送達デバイスと流体連通するクライオジェンタンクと、
制御信号に応答して前記クライオジェンタンクの圧力を調節するように構成される１つ以上の調節可能圧力弁と、
コントローラと
を備えるシステムであって、
前記コントローラは、
標的圧力の指示を受信することと、
前記クライオジェン送達デバイスの動作中に前記クライオジェンタンクの圧力を測定することと、
前記測定された圧力が前記標的圧力と一致するかどうかを決定することと、
前記クライオジェンタンクの現在の圧力変化率を決定することと、
前記クライオジェンタンクの圧力の前記測定、前記標的圧力、前記クライオジェンタンクの前記現在の圧力変化率、および前記クライオジェンタンクの圧力履歴に基づいて前記制御信号を調節することと、
前記制御信号に応答して前記１つ以上の調節可能圧力弁を介して前記標的圧力に向かって前記クライオジェンタンクの圧力を調節することと
を実行するように構成されている、システム。
【請求項２】
前記コントローラは、
（ａ）前記クライオジェン送達デバイスがクライオジェンを送達しているときに前記クライオジェン送達デバイスの冷却力を示す冷却力測定値を受信することと、
（ｂ）前記クライオジェン送達デバイスが前記冷却力測定値に対応する冷却力を達成するときに前記クライオジェンタンク圧力の指示を受信することと、
（ｃ）前記冷却力測定値が標的冷却力と一致することを識別することと、
（ｄ）前記指示されたクライオジェンタンク圧力を前記標的圧力として記憶することと
によって、前記標的圧力を決定するように構成されている、請求項１に記載のシステム。
【請求項３】
前記冷却力測定値が前記標的冷却力と一致するまでステップ（ａ）および（ｂ）を繰り返すことをさらに含む、請求項２に記載のシステム。
【請求項４】
前記１つ以上の調節可能圧力弁は、
前記クライオジェンタンクの圧力の大まかな低減を提供するように構成される第１の弁と、
前記クライオジェンタンクの圧力通気および圧力増進機能を制御するように構成される第２および第３の弁と
を備える、請求項１〜３のうちのいずれか一項に記載のシステム。
【請求項５】
前記コントローラは、前記クライオジェンタンクの圧力が事前判定された閾値量を上回るときに前記第１の弁をトリガする、請求項４に記載のシステム。
【請求項６】
前記コントローラは、前記クライオジェンタンクの充填動作中に前記第１の弁をトリガする、請求項４および５のうちのいずれかに記載のシステム。
【請求項７】
前記コントローラは、パルス幅変調コントローラであり、前記第２および第３の弁は、前記制御信号によって提供される制御電圧に基づいてそのデューティサイクルを調節する前記パルス幅変調コントローラに応答する、請求項４〜６のうちのいずれかに記載のシステム。
【請求項８】
前記制御信号は、比例積分微分（ＰＩＤ）制御アルゴリズムによって駆動される、請求項４〜７のうちのいずれかに記載のシステム。
【請求項９】
試験モードおよび通常モードで動作可能なクライオスプレー送達デバイスと、
クライオジェンタンクと、
前記クライオスプレー送達デバイスと前記クライオジェンタンクとの間に配置される調節可能圧力弁と、
コントローラと
を備えるシステムであって、
前記コントローラは、
前記クライオスプレー送達デバイスが前記試験モードで動作しているときに以下のアクション：
前記クライオスプレー送達デバイスの冷却力を測定すること、
前記クライオジェンタンクの現在の圧力変化率を決定すること、
前記測定された冷却力に応答して前記調節可能圧力弁を調節することであって、前記コントローラは、前記クライオジェンタンクの前記現在の圧力変化率、圧力履歴、および圧力設定点に基づいて前記調節可能圧力弁を調節する、こと、および
前記クライオスプレー送達デバイスで所望の冷却力が達成されるまで前記システムを再試験すること
を実行するように構成されている、システム。
【請求項１０】
前記クライオスプレー送達デバイスは、クライオスプレー出口を備え、前記冷却力は、前記クライオスプレー出口で測定される、請求項９に記載のシステム。
【請求項１１】
前記クライオスプレー送達デバイスは、クライオスプレー送達カテーテルを備える、請求項１〜１０のうちのいずれかに記載のシステム。
【請求項１２】
前記コントローラは、パルス幅変調（ＰＷＭ）コントローラである、請求項９〜１１のうちのいずれかに記載のシステム。
【請求項１３】
前記コントローラは、比例積分微分（ＰＩＤ）制御アルゴリズムを採用するように構成されている、請求項９〜１２のうちのいずれかに記載のシステム。
【請求項１４】
標的冷却力は、患者を記述する情報および処置場所を記述する情報に基づいて決定される、請求項９〜１３のうちのいずれかに記載のシステム。
【請求項１５】
前記調節可能圧力弁は、弁プランジャ位置を有する弁プランジャを備え、前記弁プランジャ位置は、前記コントローラからの制御信号に応答して調節可能である、請求項９〜１４のうちのいずれかに記載のシステム。
【請求項１６】
前記調節可能圧力弁は、複数の比例ソレノイド弁のうちの１つである、請求項９〜１５のうちのいずれかに記載のシステム。
【請求項１７】
クライオジェン送達デバイスと流体連通するクライオジェンタンクと、
制御信号に応答して前記クライオジェンタンクの圧力を調節するように構成される１つ以上の調節可能圧力弁と、
コントローラと
を備えるシステムであって、
前記コントローラは、
前記クライオジェン送達デバイスの標的冷却力を識別することと、
前記クライオジェン送達デバイスの動作を開始することと、
前記クライオジェン送達デバイスの冷却力を測定することと、
前記クライオジェンタンクの現在の圧力変化率を決定することと、
前記冷却力が前記標的冷却力と一致するまで前記クライオジェンタンクの圧力を調節することであって、前記コントローラは、前記クライオジェンタンクの前記現在の圧力変化率、圧力履歴、および圧力設定点に基づいて前記圧力を調節するように構成されている、ことと、
前記冷却力が前記標的冷却と一致するときに前記クライオジェンタンクの圧力を記録することと、
前記クライオジェン送達デバイスの将来の動作中の標的圧力として前記記録された圧力を使用することと
を実行するように構成されている、システム。
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打込まれる遊技領域を有した遊技盤と、
前記遊技盤を脱着可能に支持する本体枠と、
前記本体枠の前面に対して開閉可能に支持されると共に閉鎖した時に前記本体枠に支持された前記遊技盤の少なくとも前記遊技領域が遊技者側へ臨む遊技窓を有した扉枠と、
前記遊技窓の下方に形成され、前方に膨出して前記遊技媒体を貯留可能な皿部と、発光装飾可能な発光装飾部と、を有する皿発光装飾手段と、
前記皿発光装飾手段に近接して設けられ、前記遊技窓の外周の所定領域を装飾し、遊技者側へ向けて発光可能とされた第一発光装飾手段と、
前記遊技窓の外周の前記所定領域とは異なる領域を装飾し、前記第一発光装飾手段よりも前方に膨出し発光可能な膨出部を有する第二発光装飾手段と、
を備え、
前記皿発光装飾手段による装飾と前記第二発光装飾手段の正面あるいは内方から見える前記第二発光装飾手段による装飾とで一体的な装飾をなしており、
さらに、
前記皿発光装飾手段の前記皿部に貯留された前記遊技媒体を通過口を介して発射位置に送り出す球送り手段と、
前記球送り手段により前記発射位置に送り出された前記遊技媒体を前記遊技領域に向けて発射可能な発射手段と、を備え、
前記球送り手段は、金属板材における第１板面部を第２板面部に対して屈曲させて、前記遊技媒体に設けられた線材の進入しうる隙間が形成された不正防止部材を備え、
前記球送り手段には、前記不正防止部材を収容可能な収容部が形成され、該収容部に前記不正防止部材が設けられる
ことを特徴とする遊技機。
【手続補正２】
【補正対象書類名】明細書
【補正対象項目名】０００８
【補正方法】変更
【補正の内容】
【０００８】
手段１：遊技者の操作によって遊技媒体が打込まれる遊技領域を有した遊技盤と、
前記遊技盤を脱着可能に支持する本体枠と、
前記本体枠の前面に対して開閉可能に支持されると共に閉鎖した時に前記本体枠に支持された前記遊技盤の少なくとも前記遊技領域が遊技者側へ臨む遊技窓を有した扉枠と、
前記遊技窓の下方に形成され、前方に膨出して前記遊技媒体を貯留可能な皿部と、発光装飾可能な発光装飾部と、を有する皿発光装飾手段と、
前記皿発光装飾手段に近接して設けられ、前記遊技窓の外周の所定領域を装飾し、遊技者側へ向けて発光可能とされた第一発光装飾手段と、
前記遊技窓の外周の前記所定領域とは異なる領域を装飾し、前記第一発光装飾手段よりも前方に膨出し発光可能な膨出部を有する第二発光装飾手段と、
を備え、
前記皿発光装飾手段による装飾と前記第二発光装飾手段の正面あるいは内方から見える前記第二発光装飾手段による装飾とで一体的な装飾をなしており、
さらに、
前記皿発光装飾手段の前記皿部に貯留された前記遊技媒体を通過口を介して発射位置に送り出す球送り手段と、
前記球送り手段により前記発射位置に送り出された前記遊技媒体を前記遊技領域に向けて発射可能な発射手段と、を備え、
前記球送り手段は、金属板材における第１板面部を第２板面部に対して屈曲させて、前記遊技媒体に設けられた線材の進入しうる隙間が形成された不正防止部材を備え、
前記球送り手段には、前記不正防止部材を収容可能な収容部が形成され、該収容部に前記不正防止部材が設けられる
ことを特徴とする遊技機。
【手続補正書】
【提出日】平成31年1月18日(2019.1.18)
【手続補正１】
【補正対象書類名】特許請求の範囲
【補正対象項目名】請求項１
【補正方法】変更
【補正の内容】
【請求項１】
物品から取得された物品情報に基づき、ゲームを実行するゲーム装置であって、
前記取得された物品情報に基づくゲーム要素を含む複数のゲーム要素と、該複数のゲーム要素のうちの少なくとも２つのゲーム要素を基礎とする新たなゲーム要素とを提示する提示手段と、
前記提示手段により提示されたゲーム要素のうちの少なくとも１つのゲーム要素について、該ゲーム要素に対応する物品を排出する排出手段と、を備え、
前記排出手段は、
排出の対象とされるゲーム要素が前記複数のゲーム要素のいずれかである場合に、該ゲーム要素を特定する物品情報を有する第１の種別の物品を排出し、
排出の対象とされるゲーム要素が前記新たなゲーム要素である場合に、前記第１の種別の物品と異なる第２の種別の物品を排出するゲーム装置。
【手続補正２】
【補正対象書類名】特許請求の範囲
【補正対象項目名】請求項１６
【補正方法】変更
【補正の内容】
【請求項１６】
物品情報を有するゲーム用物品と、ゲーム用物品から取得された前記物品情報に基づき、ゲームを実行するゲーム装置と、を含んで構成されるゲームシステムであって、
前記ゲーム装置は、
前記取得された物品情報に基づくゲーム要素を含む複数のゲーム要素と、該複数のゲーム要素のうちの少なくとも２つのゲーム要素を基礎とする新たなゲーム要素とを提示する提示手段と、
前記提示手段により提示されたゲーム要素のうちの少なくとも１つのゲーム要素について、該ゲーム要素に対応するゲーム用物品を排出する排出手段と、を備え、
前記排出手段は、
排出の対象とされるゲーム要素が前記複数のゲーム要素のいずれかである場合に、該ゲーム要素を特定する物品情報を有する第１の種別のゲーム用物品を排出し、
排出の対象とされるゲーム要素が前記新たなゲーム要素である場合に、前記第１の種別のゲーム用物品と異なる第２の種別のゲーム用物品を排出するゲームシステム。
【手続補正３】
【補正対象書類名】明細書
【補正対象項目名】発明の名称
【補正方法】変更
【補正の内容】
【発明の名称】ゲーム装置、ゲームシステム及びプログラム
【手続補正４】
【補正対象書類名】明細書
【補正対象項目名】０００１
【補正方法】変更
【補正の内容】
【０００１】
本発明は、ゲーム装置、ゲームシステム及びプログラムに関し、特に物品から取得した情報に基づくゲームを実行するゲーム装置に関する。
【手続補正５】
【補正対象書類名】明細書
【補正対象項目名】０００６
【補正方法】変更
【補正の内容】
【０００６】
本発明は、ゲーム用物品のユーザへの提供に多様性を持たせつつ、ゲームの興趣性を向上させるゲーム装置、ゲームシステム及びプログラムを提供することを目的とする。
【手続補正６】
【補正対象書類名】明細書
【補正対象項目名】０００７
【補正方法】変更
【補正の内容】
【０００７】
本発明のゲーム装置は、物品から取得された物品情報に基づき、ゲームを実行するゲーム装置であって、取得された物品情報に基づくゲーム要素を含む複数のゲーム要素と、該複数のゲーム要素のうちの少なくとも２つのゲーム要素を基礎とする新たなゲーム要素とを提示する提示手段と、提示手段により提示されたゲーム要素のうちの少なくとも１つのゲーム要素について、該ゲーム要素に対応する物品を排出する排出手段と、を備え、排出手段は、排出の対象とされるゲーム要素が複数のゲーム要素のいずれかである場合に、該ゲーム要素を特定する物品情報を有する第１の種別の物品を排出し、排出の対象とされるゲーム要素が新たなゲーム要素である場合に、第１の種別の物品と異なる第２の種別の物品を排出する。
【手続補正書】
【提出日】令和1年10月4日(2019.10.4)
【手続補正１】
【補正対象書類名】明細書
【補正対象項目名】００２３
【補正方法】変更
【補正の内容】
【００２３】
（８）前記昇降回転機構と、前記圧力調整部と、前記引き上げ部と、前記ガス供給部と、前記測定部とを制御する制御部をさらに有し、
前記制御部を介して、前記引き上げを行いながら、前記測定部により測定されたガス濃度が目標ガス濃度の範囲内に入るように、前記チャンバ内の圧力、前記Ａｒガスの流量、ならびに前記誘導部および前記シリコン融液の間隔の少なくともいずれか１つを含む引き上げ条件値を調整する、上記（６）または（７）に記載のシリコン単結晶育成装置。
【手続補正２】
【補正対象書類名】明細書
【補正対象項目名】００２６
【補正方法】変更
【補正の内容】
【００２６】
【図１】従来技術により得られるシリコン単結晶インゴットの、結晶成長方向における比抵抗の公差を説明する模式図である。
【図２】本発明の一実施形態に用いるシリコン単結晶育成装置を示す模式図である。
【図３】実施例における結晶長に対するＳｂＯ濃度を示すグラフである。
【図４】実施例において作製したシリコン単結晶インゴットの結晶長に対する比抵抗の分布を示すグラフである。
【手続補正３】
【補正対象書類名】明細書
【補正対象項目名】００２７
【補正方法】変更
【補正の内容】
【００２７】
（シリコン単結晶インゴットの製造方法）
本発明の一実施形態に従うシリコン単結晶インゴットの製造方法は、図２に模式的に図示するシリコン単結晶育成装置１００を用いて行うことができる。このシリコン単結晶育成装置１００は、シリコン融液１０を貯留する坩堝２０と、坩堝２０を収容するチャンバ３０と、チャンバ３０内の圧力（以下、「炉内圧」）を調整する圧力調整部４０と、シリコン融液１０からシリコン単結晶インゴット１を引き上げる引き上げ部５０と、チャンバ３０内にＡｒガスを供給するガス供給部６０と、チャンバ３０からＡｒガスを排出するガス排出部と、シリコン融液１０の表面の上方に配置され、Ａｒガスがシリコン融液１０の表面に沿って流れるよう案内する誘導部７０とを少なくとも有し、さらに必要に応じてその他の構成を有する。ここで、シリコン単結晶育成装置１００において、シリコン融液１０にはｎ型ドーパントが添加される。なお、ｎ型ドーパントとして、Ｐ（リン）、Ａｓ（ヒ素）、Ｓｂ（アンチモン）のいずれか１種または２種以上を用いることができる。
【手続補正４】
【補正対象書類名】明細書
【補正対象項目名】００３０
【補正方法】変更
【補正の内容】
【００３０】
なお、目標濃度は結晶成長方向において一定であることが好ましい。結晶成長方向の全域において、比抵抗をほぼ一定にすることができるためである。しかしながら、引き上げ中の結晶長に応じて目標濃度を漸増または漸減、あるいは結晶長ごとに区分して目標濃度を増減させてもよい。こうすることで、結晶成長方向において任意の比抵抗を有するシリコン単結晶インゴットを得ることができる。
【手続補正５】
【補正対象書類名】明細書
【補正対象項目名】００３２
【補正方法】変更
【補正の内容】
【００３２】
シリコン単結晶育成装置１００のＡｒガスの排出口側に赤外分光法や質量分析法による測定を行う測定部８１を設け、この測定部８１によりＡｒガスとともに排出されるｎ型ドーパントを含むドーパントガスのガス分析を行うことで、こうした測定工程を行うことができる。測定部８１としては、質量分析計を用いることが好ましく、例えば四重極形質量分析計（ＱＭＳ）を用いることができ、他にも赤外分光計測定機を用いることもできる。特に四重極形質量分析計を用いれば、より確実に、かつ精度良く、対象とするｎ型ドーパントを構成元素に含むドーパントガスの定量分析を行うことができる。例えばＳｂＯガスのガス濃度を測定する場合、インゴット１の育成初期からのＳｂＯガスのガス濃度が一定となるように引き上げ条件値調整工程を行う。
【手続補正６】
【補正対象書類名】明細書
【補正対象項目名】００３７
【補正方法】変更
【補正の内容】
【００３７】
また、測定したガス濃度が目標とする一定濃度を維持しているのであれば、そのタイミ
ングでは上記引き上げ条件値を維持すればよい。なお、ガス濃度の制御性の観点から、炉
内圧およびＡｒガスの流量の両方を調整することが好ましい。また、まずＡｒ流量のみでガス濃度を調整しつつも、目標濃度に到達しない傾向が見られない場合には、炉内圧をさらに調整することも好ましい。一方、まずＡｒ流量のみでガス濃度を調整し、目標濃度を超えそうな傾向が見られない場合であっても、炉内圧を別途調整してもよい。
【手続補正７】
【補正対象書類名】明細書
【補正対象項目名】００５１
【補正方法】変更
【補正の内容】
【００５１】
＜Ａｒガス供給部およびＡｒガス排出部＞
Ａｒガスはバルブ４１からチャンバ３０内に供給することができ、バルブ４２を介してチャンバ３０から排出することができる。バルブ４１，４２および真空ポンプ４３は本実施形態における圧力調整部４０となり、Ａｒガス流量を制御することができる。バルブ４１の上流には、Ａｒガスの供給源を設置することができ、当該供給源がガス供給部６０となる。また、ポンプ４３を用いてＡｒガスが排出され、ポンプ５１はＡｒガス排出部を兼ねることができる。Ａｒガスの排出と同時に、ドーパントガスも排出口に進むこととなる。
【手続補正８】
【補正対象書類名】明細書
【補正対象項目名】００５６
【補正方法】変更
【補正の内容】
【００５６】
＜制御部＞
シリコン単結晶育成装置１００は、上述した昇降回転機構２１と、圧力調整部４０と、引き上げ部５０と、ガス供給部６０と前記測定部８１とを制御する制御部８０をさらに有することが好ましい。そして、シリコン単結晶育成装置１００は、制御部８０を介して、シリコン単結晶インゴット１の引き上げを行いながら、測定部８１により測定されたドーパントガスのガス濃度が一定濃度になるように、チャンバ３０内の圧力（炉内圧）、Ａｒガスの流量、ならびに誘導部７０およびシリコン融液１０の間隔（ギャップＧ）の少なくともいずれか１つを含む引き上げ条件値を制御することが好ましい。
【手続補正９】
【補正対象書類名】明細書
【補正対象項目名】００６０
【補正方法】変更
【補正の内容】
【００６０】
（発明例１）
図２に示したシリコン単結晶育成装置１００を用い、ＣＺ法によって直径３００ｍｍ、直胴長１８００ｍｍであるシリコン単結晶インゴットを育成した。まず３２インチの石英坩堝２０にポリシリコン原料３５０ｋｇを投入し、アルゴン雰囲気中でポリシリコン原料を溶解した。次に、ｎ型のドーパントとしてＳｂ（アンチモン）を添加した。この時、シリコン単結晶インゴットの直胴開始位置での比抵抗が５０Ω・ｃｍとなるようにドーパント量を調整した。なお結晶の狙いの比抵抗は、軸方向に５０Ω・ｃｍ±７％とした。さらに、シリコン融液１０に種結晶を浸漬させて、種結晶および石英坩堝２０を回転させながら種結晶を徐々に引き上げて、種結晶下に無転位のシリコン単結晶を成長させた。この時、単結晶の成長速度をＶ、シリコン結晶と融液との境界線である固液界面での融点から１３５０℃までの温度勾配をＧ（℃／ｍｍ）としたときの比，Ｖ／Ｇを０．２７程度に設定した。